(57)【要約】      （修正有）【課題】既存の道路側溝を改造することなく、透水舗装道路の排水口を形成できるようにする。【解決手段】透水性舗装材層２下に、蓋ブロック４で開放部が閉鎖されたＵ字溝ブロック４が埋設され、蓋ブロック４には、排水口６に連通させて立ち上げたグレーチング支持兼用の排水口用筒７を有し、その周囲に透水性舗装材層２が敷設されており、排水口用筒７の両側部下縁に水平方向に張り出したフランジが蓋ブロックの排水口両側縁部上面に当接され、排水口用筒７内に上下に貫通してボルト挿入穴１６が形成された横桟１５が固定されており、そのボルト挿入穴１６に挿入された排水口用筒固定用ボルト１７の下端が、蓋ブロック４の排水口両側部下面に両端が当接された止め金１８にねじ込まれ、その止め金１８を蓋ブロック下面の止め金嵌合溝１９に嵌め合わせた状態で排水口用筒固定用ボルト１７を該止め金１８にねじ込んで締め付けている。【選択図】図１
2018197460.tif 000002
【特許請求の範囲】
【請求項１】
舗装表面に透水性舗装材層を有し、該透水性舗装材層下に蓋ブロックで開放部が閉鎖されたＵ字溝が埋設され、該蓋ブロックには、該蓋ブロックを上下に貫通したスリット状の排水口を有し、蓋ブロック上に、前記排水口に連通させて立ち上げたグレーチング支持兼用の排水口用筒を有し、
該排水口用筒の上端を露出させて前記蓋ブロック上に、前記透水性舗装材層が敷設されている透水舗装道路の排水口構造において、
前記排水口用筒には、両側部下縁に水平方向に張り出したフランジを一体に有し、該フランジが前記蓋ブロックの排水口両側縁部上面に当接されており、
前記排水口用筒内には、その幅方向に向けた横桟が固定されており、該横桟を上下に貫通してボルト挿入穴が形成されており、
前記ボルト挿入穴に挿入された排水口用筒固定用ボルトの下端が、前記蓋ブロックの排水口両側部下面に両端が当接された止め金にねじ込まれており、
前記蓋ブロックの排水口両側部下面には、前記止め金が嵌まり合う止め金嵌合溝が形成されており、
該止め金嵌合溝に前記止め金の両端を嵌め合わせた状態で前記横桟に貫通させた排水口用筒固定用ボルトを該止め金にねじ込んで締め付けられていることにより、前記排水口用筒が前記Ｕ字溝の蓋ブロック上に固定されていることを特徴としてなる透水舗装道路の排水口構造。
【請求項２】
前記排水口用筒の側面には、該排水口用筒の内外に連通開口した前記透水性舗装材層内の水を排水する通水口が縦向きのスリット状に多数開口されている請求項１に記載の透水舗装道路の排水口構造。
【請求項３】
前記排水口用筒は、前記Ｕ字溝の蓋ブロック上面の長さと同じ長さに形成されており、互いに隣り合うＵ字溝の蓋ブロック上の排水口用筒が前記透水性舗装材層上面にて互いに連続した状態に配置されている請求項１又は２に記載の透水舗装道路の排水口構造。
【請求項４】
前記排水口用筒の下面には、前記排水口両端部内に嵌まり合う一対の垂下片を有する請求項１〜３の何れか１に記載の透水舗装道路の排水口構造。
【発明の詳細な説明】
【技術分野】
【０００１】
本発明は、主として表面に透水性舗装材層を有する透水舗装道路の排水口構造に関する。
【背景技術】
【０００２】
一般に、舗装道路の表面に、ポーラスコンクリート等の骨材間に連続空隙を形成した透水性舗装材層を設けた透水舗装が普及している。
【０００３】
従来の透水舗装における透水性舗装材層内の排水は、Ｕ字溝や埋設管を使用した道路側溝内へ流すようになっており、その構造は、道路側溝の排水口が透水性舗装材によって埋まることがないように、排水口縁部に仕切りを立て、この仕切りに水平方向に貫通開口した通水口を形成しておき、この仕切りの高さまで透水舗装材を打設する方法が開発されている。この仕切りとしてグレーチング支持枠を兼用したものが知られている（例えば特許文献１，２）。
【先行技術文献】
【特許文献】
【０００４】
【特許文献１】特開２００５−３６５２７号公報
【特許文献２】実用新案登録第３０７００６７号公報
【発明の開示】
【発明が解決しようとする課題】
【０００５】
上述の如き従来の排水口構造では、Ｕ字溝の蓋ブロックや埋設管の排水口側部上面にグレーチング支持枠等の仕切りを固定するためのアンカーナットなどの固定部材を予め設置しておかなければならず、既設の道路側溝をそのまま使用した透水舗装ができなかった。
【０００６】
また、側溝を新設した透水舗装であっても、既存の型枠が使用できず、排水口を形成するＵ字溝の蓋ブロックや埋設管を新たに設計し製造した型枠が必要であり、当然に、既に製造されている蓋ブロックや埋設管は使用することができないという問題があった。
【０００７】
本発明は、このような従来の解決することを目的としてなされたものであり、既設の舗装表面に透水性舗装材層を形成する透水舗装において、既存の道路側溝を何ら改造することなく、また、新設又は既設の透水舗装においても既存の側溝蓋ブロックの設計を変更することなく、従前のままの形状で、透水舗装道路の排水口を形成できる透水舗装道路の排水口構造を提供せんとしたものである。
【課題を解決するための手段】
【０００８】
上述の如き従来の問題を解決するための本発明に係る透水舗装道路の排水口構造の第１の特徴は、舗装表面に透水性舗装材層を有し、該透水性舗装材層下に蓋ブロックで開放部が閉鎖されたＵ字溝が埋設され、該蓋ブロックには、該蓋ブロックを上下に貫通したスリット状の排水口を有し、蓋ブロック上に、前記排水口に連通させて立ち上げたグレーチング支持兼用の排水口用筒を有し、該排水口用筒の上端を露出させて前記蓋ブロック上に、前記透水性舗装材層が敷設されている透水舗装道路の排水口構造において、前記排水口用筒には、両側部下縁に水平方向に張り出したフランジを一体に有し、該フランジが前記蓋ブロックの排水口両側縁部上面に当接されており、前記排水口用筒内には、その幅方向に向けた横桟が固定されており、該横桟を上下に貫通してボルト挿入穴が形成されており、前記ボルト挿入穴に挿入された排水口用筒固定用ボルトの下端が、前記蓋ブロックの排水口両側部下面に両端が当接された止め金にねじ込まれており、前記蓋ブロックの排水口両側部下面には、前記止め金が嵌まり合う止め金嵌合溝が形成されており、該止め金嵌合溝に前記止め金の両端を嵌め合わせた状態で前記横桟に貫通させた排水口用筒固定用ボルトを該止め金にねじ込んで締め付けられていることにより、前記排水口用筒が前記Ｕ字溝の蓋ブロック上に固定されていることにある。
【０００９】
本発明の第２の特徴は、前記第１の特徴に加え、排水口用筒の側面には、該排水口用筒の内外に連通開口した前記透水性舗装材層内の水を排水する通水口が縦向きのスリット状に多数開口されていることにある。
【００１０】
本発明の第３の特徴は、前記第１又は第２の特徴に加え、排水口用筒は、前記Ｕ字溝の蓋ブロック上面の長さと同じ長さに形成されており、互いに隣り合うＵ字溝の蓋ブロック上の排水口用筒が前記透水性舗装材層上面にて互いに連続した状態に配置されていることにある。
【００１１】
本発明の第４の特徴は、前記第１〜第３の特徴の何れか１に加え、排水口用筒の下面には、前記排水口両端部内に嵌まり合う一対の垂下片を有することにある。
【発明の効果】
【００１２】
本発明に係る透水舗装道路の排水口構造は、前記の第１のように特徴は、舗装表面に透水性舗装材層を有し、該透水性舗装材層下に蓋ブロックで開放部が閉鎖されたＵ字溝が埋設され、該蓋ブロックには、該蓋ブロックを上下に貫通したスリット状の排水口を有し、蓋ブロック上に、前記排水口に連通させて立ち上げたグレーチング支持兼用の排水口用筒を有し、該排水口用筒の上端を露出させて前記蓋ブロック上に、前記透水性舗装材層が敷設されている透水舗装道路の排水口構造において、前記排水口用筒には、両側部下縁に水平方向に張り出したフランジを一体に有し、該フランジが前記蓋ブロックの排水口両側縁部上面に当接されており、前記排水口用筒内には、その幅方向に向けた横桟が固定されており、該横桟を上下に貫通してボルト挿入穴が形成されており、前記ボルト挿入穴に挿入された排水口用筒固定用ボルトの下端が、前記蓋ブロックの排水口両側部下面に両端が当接された止め金にねじ込まれており、前記蓋ブロックの排水口両側部下面には、前記止め金が嵌まり合う止め金嵌合溝が形成されており、該止め金嵌合溝に前記止め金の両端を嵌め合わせた状態で前記横桟に貫通させた排水口用筒固定用ボルトを該止め金にねじ込んで締め付けられていることにより、前記排水口用筒が前記Ｕ字溝の蓋ブロック上に固定されている構造としたことにより、蓋ブロックは、従来の形状に止め金嵌合溝を付加するのみでよいため、従来の型枠に止め金嵌合溝用の凸型を付加することによって形成することができ、このため、従来使用している蓋ブロック成形型枠を使用することができ、また、止め金嵌合溝用の凸型を付加した蓋ブロックであっても通常の排水口付の蓋ブロックとして使用することができる。
【００１３】
また、蓋ブロックに固定される排水口用筒は、ボルトと止め金によって固定され、しかも止め金は止め金嵌合溝内に嵌まり合ってボルト止めされるものであるため、排水口用筒は容易に移動しない構造となり、予め排水口用筒を固定した蓋ブロックの移動や不透水舗装材層の敷設の際に、排水口用筒の位置がずれる虞がなくなり、施工がし易い。
【００１４】
本発明は前記第２の特徴のように、排水口用筒の側面には、該排水口用筒の内外に連通開口した前記透水性舗装材層内の水を排水する通水口が縦向きのスリット状に多数開口されていることにより、透水性舗装材層内の水が排水口用筒を通して排水口に流れ込むこととなり、透水性舗装材層内の排水が効果的になされる。
【００１５】
本発明は前記の第３の特徴のように、排水口用筒は、前記Ｕ字溝の蓋ブロック上面の長さと同じ長さに形成されており、互いに隣り合うＵ字溝の蓋ブロック上の排水口用筒が前記透水性舗装材層上面にて互いに連続した状態に配置されていることにより、透水性舗装材層上を流れるより多くの水が排水口用筒内に流れ込むこととなり、路面上の排水効率を良くできるとともに、透水性舗装材層内の水の排水効率も良くなる。
【００１６】
本発明は前記第４の特徴のように、排水口用筒の下面には、前記排水口両端部内に嵌まり合う一対の垂下片を有することにより、止め金とボルトによる排水口用筒固定前において、排水口に対する排水口用筒の位置決めが容易となり、排水口用筒の固定作業の効率が良い。
【図面の簡単な説明】
【００１７】
【図１】本発明に係る透水舗装道路の排水口構造の実施例の一例を示す縦断面図である。
【図２】同排水口構造における排水口用筒を固定した状態の蓋ブロックを示す平面図である。
【図３】図２中のＡ−Ａ線断面図である。
【図４】同排水口構造における蓋ブロックの止め金部分を示す部分縦断面図である。
【図５】同上の底面図である。
【発明を実施するための最良の形態】
【００１８】
次に、本発明に係る透水舗装道路の排水口構造の実施例を図面について説明する。
【００１９】
図１は、ポーラスコンクリートからなる透水性舗装材層を有する舗装道路の排水口構造を示している。図において符号１は、舗装の下地層１であり、２は不透水舗装材層、３はＵ字溝ブロック３である。Ｕ字溝ブロック３の上向きの開放部は蓋ブロック４にて閉鎖されている。このＵ字溝ブロック３と蓋ブロック４は、該蓋ブロック４の上面を不透水舗装材層２の表面の高さと同じかそれより低い高さに埋設され、道路の側溝を構成している。
【００２０】
不透水舗装材層２と蓋ブロック４の上に、透水性舗装材層を構成する透水性舗装材層５が連続して打設されている。
【００２１】
蓋ブロック４には、その中央部分にＵ字溝ブロック３内の水の流れ方向に向けてスリット状の排水口６が形成されている。蓋ブロック４の上には、排水口６に連通させて立ち上げたグレーチング支持兼用の排水口用筒７が載せられている。
【００２２】
排水口用筒７は、排水口６とほぼ同幅で、透水性舗装材層５とほぼ同じ高さで、長さが蓋ブロック４とほぼ同長さに形成された細長の枠状をしており、その下面に、排水口６の長さ方向側両端部内に嵌まり合う一対の垂下片８を有しており、この垂下片８を蓋ブロック４の排水口６内に嵌め合わせることによって蓋ブロック４に対する排水口用筒７の幅方向側の位置決めがなされている。
【００２３】
このようにして連続配置に設置した各蓋ブロック４に排水口用筒７をセットし、排水口用筒７の上端が透水性舗装材層５表面に長さ方向に連続して露出された配置となっている。
【００２４】
排水口用筒７の両側板７ａ，７ａの下縁には、両者の外側に向けて水平に折り曲げて配置したフランジ９，９が一体に備えられている。このフランジ９，９を蓋ブロック４の排水口両側縁部上面に当接させている。
【００２５】
排水口用筒７内には、両側板７ａ，７ａの下縁部間に、排水口用筒幅方向に向けた一対の横桟１５，１５が架け渡された状態で固定されており、この各横桟１５に上下に貫通してボルト挿入穴１６が形成され、各ボルト挿入穴１６に上側より下向きに排水口用筒固定用ボルト１７が挿入されている。
【００２６】
排水口用筒固定用ボルト１７の下端は、蓋ブロック４の下面に当接された止め金１８のネジ穴に螺合されている。この止め金１８は、図４、図５に示すように、蓋ブロック４の下面の排水口両縁部に溝状に凹ませた形状に形成された止め金嵌合溝１９に嵌め合わされており、これによって蓋ブロック４に対する止め金１８の水平移動が阻止されている。
【００２７】
このように止め金１８を止め金嵌合溝１９に嵌め合わせた状態で横桟１５に通した排水口用筒固定用ボルト１７を締め付け、蓋ブロック４に排水口用筒７の相対移動が阻止された状態で固定させている。
【００２８】
排水口用筒７の両側板７ａ，７ａには、フランジ９の上面高さ位置から上に向けられた縦向きのスリット状の通水口２０，２０……が多数開口されている。この通水口２０は、透水性舗装材層５内の水を排水口用筒７内に流すためのものであり、透水性舗装材層５を構成しているポーラスコンクリートからなる透水性舗装材が通過できない大きさに形成されている。
【００２９】
排水口用筒７は、その長さ方向側の各端板７ｂ，７ｂから蓋ブロック４の排水口６の各端部に至る部分、即ち排水口６の両端側の蓋ブロック４の上面に位置する部分に、換言すれば、排水口６の上を除く位置の両端部下面が底板７ｃ，７ｃで一体に備えられている。
【００３０】
両底板７ｃ，７ｃは、両端板７ｂ，７ｂ側から排水口６側に向けて低くなるように傾斜されており、この両端板７ｂ，７ｂの排水口６側を下側に曲げて前述した垂下片８を構成させている。
【００３１】
排水口用筒７内には、両側板７ａ，７ａ間に架け渡して一体化させたグレーチング受け桟２１，２１……が複数備えられており、排水口用筒７内に嵌め合わせたグレーチング２２の下面をこのグレーチング受け桟２１，２１……に受けさせている。
【００３２】
蓋ブロック４に対する排水口用筒７は、蓋ブロック４をＵ字溝ブロック３に施蓋する前に行っておき、排水口用筒７を固定した状態で、先に埋設されているＵ字溝ブロック３に対し、図２、図３に仮線で示すように、蓋ブロック４をＵ字溝ブロック上に連続させた配置に被せる。しかる後、蓋ブロック４の高さまで不透水舗装材層２を形成する。
【００３３】
次いで、蓋ブロック４及び不透水舗装材層２の上に連続させて透水性舗装材層５を形成する。この時の蓋ブロック４上の透水性舗装材層５の厚さは、排水口用筒７の上端高さまでとし、該排水口用筒７の周囲を透水性舗装材層５で埋める。
【００３４】
また、透水舗装を既設の道路表面上に施工する場合には、既設舗装面に排水口を露出させて設置されている既設の蓋ブロック（図示せず）を取り外し、その下に埋設されている既設Ｕ字溝ブロック３の開口部を前述の排水口用筒７を装着した新たな蓋ブロック４で塞ぐ。
【００３５】
この蓋ブロック４は、前述した既設の蓋ブロックと外形寸法を同じくし、止め金嵌合溝１９を備えた形状にして新たに形成したものを使用する。この新たな蓋ブロック４に前述と同様に予め排水口用筒７を固定したものを既設のＵ字溝ブロック３上に載せる。しかる後既設舗装面と蓋ブロック４の上に透水性舗装材層５を敷設する。
【００３６】
尚、上述した実施例では排水口用筒７のＵ字溝流れ方向の長さを、蓋ブロック４の長さと同じく、図２、図３中に仮線で示すように排水口用筒７、７をその長さ方向に連続させた配置に設置したものを示しているが、この他図には示してないが、排水口６の長さより長く、且つＵ字溝ブロック３の長さより短い長さに形成してもよく、更に、排水口用筒７を蓋ブロック４の排水口６の長さとし、底板７ｃをなくし、端板７ｂの下端を延長した形状に垂下片８を設けてもよい。
【００３７】
更に、上述した実施例では透水性舗装材層５がポーラスコンクリートである場合を示しているが、その他の透水性舗装材を使用したものや、インターロッキングブロックによるものであってもよい。
【符号の説明】
【００３８】
１  下地層
２  不透水舗装材層
３  Ｕ字溝ブロック
４  蓋ブロック
５  透水性舗装材層
６  排水口
７  排水口用筒
７ａ  側板
７ｂ  端板
７ｃ  底板
８  垂下片
９  フランジ
１５  横桟
１６  ボルト挿入穴
１７  排水口用筒固定用ボルト
１８  止め金
１９  止め金嵌合溝
２０  通水口
２１  グレーチング受け桟
２２  グレーチング
【図１】
2018197460.tif 000003
【図２】
2018197460.tif 000004
【図３】
2018197460.tif 000005
【図４】
2018197460.tif 000006
【図５】
2018197460.tif 000007